(57)【要約】      （修正有）【課題】ユーザが安定しながら、心地よく利用できるため、従来の偏心スイングで、発生しためまいの問題点を有効に解決する。【解決手段】エクササイズボード構造は、その台座２０に踏み板３０が設けられ、その底部に制振部品４０が組み入れられて、踏み板は、樞台座にある縦向き回転軸５０に設けられ、踏み板が横向き又は縦向きの回転揺動が行われるようになる。また、踏み板の片側には、下へ突出した縦向きスイングアーム３１が設けられており、縦向きスイングアームの振り子３２と台座との間に連動セット６０が設けられる。踏み板は、縦向き回転軸のてっぺんに設けられ、縦向き回転軸を踏み板の真ん中の位置に対応することにより、踏み板の横向き回転揺動が行われるとき、回転支点となる、真ん中の位置に対応する縦向き回転軸の回転揺動が行われるようになり、ユーザが安定しながら、心地よく利用できる。【選択図】図２
0003134934.tif 000002
【実用新案登録請求の範囲】
【請求項１】
台座を有し、
前記台座上に踏み板が支持してあり、
前記踏み板の底の両側に踏まれたときに抵抗効果を生じさせる制振部品が組み入れてあり、
前記踏み板は、横向き又は縦向きの回転揺動が行われるよう前記台座上の縦向き回転軸に設けてあり、
前記踏み板の片側には、下へ突出した縦向きスイングアームが設けてあり、前記縦向きスイングアームの振り子が前記踏み板の縦向きスイングに伴って時計の振り子の動きで揺れる構成であり、
前記縦向きスイングアームの振り子と台座の所定の定位置との間に、連動セットが設けてあり、
前記踏み板は、前記縦向き回転軸の頂上部に設けられ、前記縦向き回転軸は前記踏み板の真ん中に位置することを特徴とする立体回転揺動可能なエクササイズボード構造。
【請求項２】
前記縦向き回転軸の頂上部には、横向きバーが設けられており、前記横向きバーの両側に定位孔があり、踏み板の底の真ん中に、間隔を置いて設けられた二つの耳付きがあり、前記二つの耳付きにある貫通孔は、横向きバーの両側の定位孔に対応するものであることを特徴とする請求項１に記載の立体回転揺動可能なエクササイズボード構造。
【請求項３】
前記縦向き回転軸の両側には、接続座が対向しながら設けられ、
前記接続座に、踏み板の底の両側にある制振部品の底部が接続してある構成としたことを特徴とする請求項１に記載の立体回転揺動可能なエクササイズボード構造。
【請求項４】
前記連動セットは、伸縮架体及び前記伸縮架体の両側に設けられる第一、第二接続座からなり、
前記第一接続座と縦向きスイングアームの振り子を接続し、また、前記第二接続座を台座に接続固定させるようにし、縦向き回転軸の側方に位置することを特徴とする請求項１に記載の立体回転揺動可能なエクササイズボード構造。
【請求項５】
前記連動セットは、第一マルチ接続部品と、連動バーと、第二マルチ接続部品からなり、
前記第一マルチ接続部品は縦向きスイングアームの底部に接続してあり、前記第一マルチ接続部品の他方側は前記連動バーの片側に組み合わせて接続しており、前記連動バーの設置方向は縦向きスイングアームの軸方向と直交し、前記連動バーの他方側は、前記第二マルチ接続部品と台座と対応する固定点により組み合わせて接続してあることを特徴とする請求項１に記載の立体回転揺動可能なエクササイズボード構造。
【請求項６】
前記踏み板は、左、右の二組で、Ｖ型架体から組み合わるものであり、前記Ｖ型架体の両側構造は、それぞれ上部バー、下部バー及び圧力ポンプから構成され、Ｖ型架体の真ん中に、両側構造を接続するための定位座が設けられており、前記定位座の底部は、縦向き回転軸と接続することにより、前記定位座が回転できる特性を持つようになり、両側の上部バー、下部バー及び圧力ポンプの外側は、それぞれ接続架板によって、左、右踏み板と組み合わされ、
且つ、前記定位座の上部に上座体を設けて、連動セットの片側に設けられる縦向きスイングアームを、横伸びバーによって、前記上座体と接続させるようにし、前記横伸びバーが上座体とともに動くようになり、連動セットの他方側は台座に接続固定しており、前記上座体はＶ型架体の揺動に伴って揺れることを特徴とする請求項１に記載の立体回転揺動可能なエクササイズボード構造。
【請求項７】
前記Ｖ型架体には、調整装置が設けられて、前記Ｖ型架体の両側構造の夾角を調整することができることを特徴とする請求項６に記載の立体回転揺動可能なエクササイズボード構造。
【考案の詳細な説明】
【技術分野】
【０００１】
本考案はエクササイズ器材に係り、特に縦向き回転揺動と横向き回転揺動が可能である踏み板を持つオリジナル設計である回転揺動可能なエクササイズボード構造に関する。
【背景技術】
【０００２】
本考案の「エクササイズボード」の構造では、踏み板が設けられ、操作者は両足で前記踏み台を踏み、サーフィン又はスケートボートをやるような姿勢で、前記踏み板の底部に設けられるサポート伝動構造設計により、踏み動かれるようにするものであることを特徴とするものである。
【０００３】
本考案と比較的に類似し、関連する特許案は台湾特許取得番号Ｍ２９２３９１「足踏機の構造装置」の新型特許案に掲示したように、当該従来案では、前記踏み板がアンダーフレームに設けられ、縦向きや横向きに全方位踏み動くこと（当該案の請求項１に記載のものを参照）を特徴とするものであり、具体的実施形態は、踏み板の縦向き踏み動く位置に第一制振組が設けられ、また、前記踏み板の横向き踏み動く位置に第二制振組が設けられており、それにより、ユーザが縦や横方向に踏み動くとき、前記制振組から生じる抵抗力によって体を鍛える効果を持つようになる。
【０００４】
しかし、前述した従来の構造形態では、実際に使われた経験から、前記踏み板は「全方位」踏み動く効果があるが、「踏み動く」の作動形式に過ぎないものだと分かり、その「踏み動く」とは、踏み板が上下に回転揺動が行われる作動形式を指すことであり、従って、当該踏歩機の踏み板全体の動きは、依然として単調で、変化の多様性に対応できない欠点があり、それを改善して、突破しなければならない。
【０００５】
また、本考案者は、以前「エクササイズマシンの立体回転揺動構造」（台湾特許取得番号Ｍ２５６１９６新型特許を参照）を公開したが、当該従来案に掲示したエクササイズマシンは、踏み板が作動されたとき、縦向き回転揺動と横向き回転揺動を兼ねた立体作動効果がある。しかし、当該従来案では、実際に使われた経験からは、図１に示すように、前記踏み板１０は横向き可動軸１１に固定され、そして、前記横向き可動軸１１は、台座１２にある縦向き回転軸１３から横伸び軸バー１４の外側に設けられており、それにより、前記踏み板１０は、横向きの回転揺動が行われるとき（図中の矢印Ｌに示すように）、当該位置対応の偏差関係にある縦向き回転軸１３が回転支点として、横向き左、右回転揺動が行われるようになるが、そういった作動形式は、ユーザに一種の遠心力を感じさせるため（人が柱を回る位置移動を行うスポーツ状態のように）、めまいになりがち、長時間に利用することができない問題点がある。
【考案の開示】
【考案が解決しようとする課題】
【０００６】
上述の問題点について、変化がより多様化で、心地よく利用できる新しい足踏み式エクササイズマシン構造を研究開発するのが、ユーザ達の望みであり、関係業者がその問題点を突破し、もっと努力し、研究開発していく目標、方法である。
【０００７】
それを見て、考案者は長年間、関連製品の製造開発及び設計の経験を持っており、上述の目標を詳しく設計、慎重に評価したうえ、実用性がある立体回転揺動可能なエクササイズボード構造を提供することを目的とする。
【課題を解決するための手段】
【０００８】
本考案は、  台座を有し、
前記台座上に踏み板が支持してあり、
前記踏み板の底の両側に踏まれたときに抵抗効果を生じさせる制振部品が組み入れてあり、
前記踏み板は、横向き又は縦向きの回転揺動が行われるよう前記台座上の縦向き回転軸に設けてあり、
前記踏み板の片側には、下へ突出した縦向きスイングアームが設けてあり、前記縦向きスイングアームの振り子が前記踏み板の縦向きスイングに伴って時計の振り子の動きで揺れる構成であり、
前記縦向きスイングアームの振り子と台座の所定の定位置との間に、連動セットが設けてあり、
前記踏み板は、前記縦向き回転軸の頂上部に設けられ、前記縦向き回転軸は前記踏み板の真ん中に位置することを特徴とする構成である。
【考案の効果】
【０００９】
本考案は、踏んだ動きにより、縦向き回転揺動と横向き回転揺動が生じる立体作動効果を持つオリジナルなエクササイズボード構造である。立体回転揺動が行われる構造の特色で、前記エクササイズボードがより柔軟に利用し、多様な変化に対応し、より面白く運動しながら体を鍛えることができる。
【００１０】
また、本考案エクササイズボードの踏み板３０は、横向き回転揺動が行われたとき、その真ん中の位置に対応する縦向き回転軸５０が回転支点となって、回転揺動が生じるためユーザには遠心力が作用せず、ユーザが安定して心地よく利用でき、従来の構造により生じた偏心スイングで、発生した遠心力によるめまい症状の問題点を有効に解決し、もっと長時間に利用でき、よりよい適用性、実用性、進歩性があるものが達成できる。
【考案を実施するための最良の形態】
【００１１】
以下、本考案の実施例になる立体回転揺動可能なエクササイズボード構造について説明する。
【実施例１】
【００１２】
図２、図３、図４、図５は、本考案である立体回転揺動可能なエクササイズボード構造の好適な実施例を示す。これらの実施例は説明に使われるものだけであり、本考案は、その構造には制限されない。
【００１３】
エクササイズボードＡは、台座２０を有する。台座２０には踏み板３０が設けられ、踏み板３０の底部の両側に、組み入れられた制振部品４０（気圧棒が可能）により、踏まれたときの抵抗効果が生じる。踏み板３０は、台座２０に支持してある縦向き回転軸５０に設けられ、踏み板３０が横向き又は縦向きの回転揺動が行われるようになる。また、踏み板３０の片側には、下へ突出した縦向きスイングアーム３１が設けてあり、縦向きスイングアーム３１の下端の振り子３２は、踏み板３０の縦向きスイングに伴って、時計の振り子の動きに揺れる。縦向きスイングアーム３１の振り子３２と、台座２０の所定の位置との間に、連動セット６０が設けてある。
【００１４】
踏み板３０は、縦向き回転軸５０の頂上部に設けてあり、縦向き回転軸５０は踏み板３０の真ん中Ｃに位置する（図４参照）。また、縦向き回転軸５０は、台座２０の真ん中に設けてある。本考案はこの構造配置形式が特徴である。
【００１５】
縦向き回転軸５０の頂上部には、横向きバー５１が設けてある。横向きバー５１の両側には定位孔５２があり、踏み板３０の底部の真ん中には、間隔を置いて設けられた二つの耳付き３３がある。この二つの耳付き３３にある貫通孔３４は、横向きバー５１の両側の定位孔５２に対応するものであり、定位ボルト３５のネジ締めにより位置が固定される。
【００１６】
縦向きスイングアーム３１の上部側は、踏み板３０の片側の底部に溶接してある耳付き３３の底部に溶接して固定してある。
【００１７】
縦向き回転軸５０の両側には、接続座５３が対向するようにして設けてある。この対向している接続座５３に、踏み板３０の底の両側にある制振部品４０の底部４１が接続してある。
【００１８】
図３は連動セット６０の具体的な構造形態を示す。連動セット６０は、伸縮架体６３とこの伸縮架体６３の両側に設けられる第一、第二接続座６１、６２よりなる。第一接続座６１と縦向きスイングアーム３１の振り子３２とが接続してある。第二接続座６２は台座２０に固定してあり、縦向き回転軸５０の横側の位置にして、縦向きスイングアーム３１の振り子３２に対向している。
【００１９】
上述した構造の組合設計により、その使用動作について次のように説明する。
【００２０】
図６及び図７は第１の作動状態を示し、図８及び図９は第２の作動状態を示す。
【００２１】
踏み板３０が踏まれて、縦向きの上下回転揺動が行われるときに、前記踏み板３０の片側に設けてあって下へ突出した縦向きスイングアーム３１は、時計の振り子の動きの運動を行う。このときに、縦向きスイングアーム３１の振り子３２の動きは、連動セット６０によって制限される。ここで、連動セット６０は台座２０の所定位置に固定してあるため、縦向きスイングアーム３１の振り子３２の動きに伴って位置を移動することができない。このため、反作用の力が踏み板３０に横向きの回転揺動を発生するように促す（踏み板３０が縦向き回転軸５０に接続し、回転できる形態のため）。それにより、踏み板３０は、縦向き回転揺動と横向き回転揺動が同時に行われる立体作動形態となる。
【００２２】
図１０は連動セットの具体的構造形態のもう一つの実施例を示す。連動セット６０Ｂは、第一マルチ接続部品６４、連動バー６５、第二マルチ接続部品６６からなる。第一マルチ接続部品６４は、縦向きスイングアーム３１の底部３２に接続してあり、第一マルチ接続部品６４の他方側は、連動バー６５の片側に組み合わせて接続してあり、連動バー６５の設置方向は縦向きスイングアーム３１の軸方向と直交した向きであり、連動バー６５の他方側は、第二マルチ接続部品６６と台座２０と対応する固定点により組み合わせて接続してある。
【００２３】
本実施例において、踏み板３０が踏まれて回転揺動が行われたとき、縦向きスイングアーム３１は時計の振り子のように回転揺動を繰り返す。ここで、連動バー６５の他方側は台座２０の固定点２１に制限されて移動できないため、反作用の力で、踏み板３０を縦向き回転軸５０が回転支点となり、横向きの回転揺動を発生するように促す。
【００２４】
図１１、図１２は踏み板構造形態のもう一つの実施例を示す。踏み板３０Ｂは、左、右二組で、Ｖ型架体７０から組み合わせる構造であり、Ｖ型架体７０の両側構造は、それぞれ上部バー７１、下部バー７２及び圧力ポンプ７３から構成され、Ｖ型架体７０の真ん中に、両側構造を接続するための定位座７４が設けられており、前記定位座７４の底部は、縦向き回転軸５０と接続することにより前記定位座７４が回転できる特性を持つようになっている。また、両側の上、下部バー７１、７２及び圧力ポンプ７３の外側は、それぞれ接続架板７４１によって、左、右踏み板３０Ｂの底部と組み合わされている。Ｖ型架体７０には調整装置８０が設けてある。調整装置８０は、図１２のように、Ｖ型架体７０の両側構造の夾角を調整し、即ち、前記左、右踏み板３０Ｂのギャップを調整する。この整装置８０の具体的構造形態は、前記定位座７４の上部に上座体７５が設けられており、前記調整装置８０は回転ツマミ８１及び引張バー８２からなるものであり、前記引張バー８２の底部は、Ｖ型架体７０の片側の上部バー７１と接続しており、前記回転ツマミ８１の回転により螺動原理によって、引張バー８２の上下を制御して、上部バー７１の勾配を調整することができ、更に、図１３に示すように、Ｖ型架体７０の両側構造の夾角を調整する目的が達成される。
【００２５】
本実施例の他の構造、例えば、前記縦向き回転軸５０は二つの踏み板３０Ｂの真ん中に位置すること、連動セット６０構造の組合形態はほぼ上述と同様であるが、本実施例の連動セット６０では、縦向きスイングアーム３１は、横伸びバー７６と上座体７５が接続し、前記横伸びバー７６が上座体７５と伴って動くようになっており、前記上座体７５はＶ型架体７０の両側の上部バー７１の揺動に伴って揺れるため、図１４に示すように、ユーザが踏み板３０Ｂを踏んで、前記Ｖ型架体７０が揺れるようになったとき、前記縦向きスイングアーム３１の振り子３２は前記連動セット６０に制限され、前記連動セット６０の他方側は台座２０の定位置に固定され、前記縦向きスイングアーム３１の振り子３２に伴って移動できず、その反作用の力で、踏み板３０を横向きの回転揺動が行われるように促し（定位座７４は回転する特性を持つもの）、それにより、前記二つ踏み板３０Ｂが同じく縦向き回転揺動と横向き回転揺動が同時に行われる立体作動形態となる。
【００２６】
なお、上述の実施例は本考案を具体的に説明したものであり、文中では特定の専門用語を用いて説明しているが、本実用新案登録請求の範囲を限定するものではなく、この技術分野を熟知した人は本考案の精神及び原則を逸脱しない限り、本考案に変更または改良を加えることができる。しかし、それらの変更または改良は全て実用新案登録請求の範囲の範疇に含まれるものとする。
【図面の簡単な説明】
【００２７】
【図１】従来の構造の作動を示す図である。
【図２】本考案の組合せ斜視図である。
【図３】本考案の分解斜視図である。
【図４】本考案の平面図である。
【図５】本考案の正面図である。
【図６】本考案の第１の作動状態を示す平面図である。
【図７】本考案の第１の作動状態を示す正面図である。
【図８】本考案の第２の作動状態を示す平面図である。
【図９】本考案の第２の作動状態を示す正面図である。
【図１０】本考案における連動セット構造形態のもう一つの実施例の斜視図である。
【図１１】本考案における踏み板構造形態のもう一つの実施例の斜視図である。
【図１２】本考案の踏み板構造形態のもう一つの実施例の正面図である。
【図１３】本考案の踏み板構造形態のもう一つの実施例の調整を説明する図である。
【図１４】本考案の踏み板構造形態のもう一つの実施例の作動を説明する図である。
【符号の説明】
【００２８】
Ａ      エクササイズボード
２０    台座
３０、３０Ｂ  踏み板
３１    縦向きスイングアーム
３２    振り子
３３    耳付き
３４    貫通孔
３５    定位ボルト
４０    制振部品
４１    底部
５０    縦向き回転軸
５１    横向きバー
５２    定位孔
５３    接続座
６０、６０Ｂ    連動セット
６１    第一接続座
６２    第二接続座
６３    伸縮架体
６４    第一マルチ接続部品
６５    連動バー
６６    第二マルチ接続部品
７０    Ｖ型架体
７１    上部バー
７２    下部バー
７３    圧力ポンプ
７４    定位座
７４１  接続架板
７５    上座体
７６    横伸びバー
８０    調整装置
８１    回転ツマミ
８２    引張バー
【図１】
0003134934.tif 000003
【図２】
0003134934.tif 000004
【図３】
0003134934.tif 000005
【図４】
0003134934.tif 000006
【図５】
0003134934.tif 000007
【図６】
0003134934.tif 000008
【図７】
0003134934.tif 000009
【図８】
0003134934.tif 000010
【図９】
0003134934.tif 000011
【図１０】
0003134934.tif 000012
【図１１】
0003134934.tif 000013
【図１２】
0003134934.tif 000014
【図１３】
0003134934.tif 000015
【図１４】
0003134934.tif 000016